(57)【要約】【課題】電子機器を収納する電子機器収納用ケースに、インレットコネクタをより一層簡易且つ安価に取り付ける。【解決手段】電源ユニット２０は、本体２１と蓋２２とから構成された筐体によって形成される。本体２１と蓋２２とは金属板の曲げ起こしによって略箱形の形状をなす様に形成され、本体２１の側壁２１ｄには切り欠き部４３が、蓋２２の側壁２２ｄには切り欠き部４４が形成されている。ＡＣインレットコネクタ４５は両側部に溝部を有し、該溝部に、本体２１の切り欠き部４３の端部を挟入させながら取り付ける。蓋２２を本体２１に嵌合させる際、蓋２２の切り欠き部４４の端部をＡＣインレットコネクタ４５の溝部に挟入させながら嵌合させ、これにより、ＡＣインレットコネクタ４５は、蓋２２の側壁２２ｄと本体２１の側壁２１ｄとによって挟持され、固定される。【選択図】　　　　図７
2004095569.tif 000002
【特許請求の範囲】
【請求項１】
略箱形の形状をなす様に形成された本体と、
前記本体の上部を覆う、略箱形の形状をなす蓋体と、を有する電子機器収納用ケースであって、
前記本体に固設されるインレットコネクタが、両側に溝部を有し、
前記本体の側壁に、上縁から底面に向かう本体側切り欠き部が形成され、前記溝部に前記本体側切り欠き部の両側端部分を挟入させながら前記インレットコネクタを底部に向かってスライドさせ、
前記蓋体の側壁には、下縁から天面に向かう蓋側切り欠き部が形成され、前記蓋体を前記本体に対して嵌合させる際に、前記溝部に前記蓋側切り欠き部の両側端部分を挟入させながらスライドさせることにより、前記溝部に前記本体の側壁と前記蓋体の側壁とを挟入させ、
前記本体の側壁と前記蓋体の側壁とを前記溝部に挟入させ且つ前記本体側切り欠き部と前記蓋側切り欠き部とによって前記インレットコネクタを上下方向から挟持することにより、前記インレットコネクタを固定する様に構成されたことを特徴とする電子機器収納用ケース。
【請求項２】
請求項１において、前記本体および前記蓋体が、１枚板を互いに交差する基線に沿って曲げ起こすことによって形成されていることを特徴とする電子機器収納用ケース。
【請求項３】
請求項２において、前記本体側切り欠き部の両側端部分が折り曲げられることにより、板厚が２倍以上になされていることを特徴とする電子機器収納用ケース。
【請求項４】
被記録材に記録を行う記録装置であって、請求項１から３のいずれか１項に記載された電子機器収納用ケースを用いて形成された電子機器ユニットを備えている、
ことを特徴とする記録装置。
【発明の詳細な説明】
【０００１】
【発明の属する技術分野】
本発明は、電子機器を収納する電子機器収納用ケースに関する。また、本発明は、該電子機器収納用ケースを用いて形成された電子機器ユニットを備えた、Ｆａｘ、プリンタ等に代表される記録装置に関する。
【０００２】
【従来の技術】
ＩＣ、トランジスタ、ＣＰＵ等の電子部品を実装した配線基板は、装置に実装される際、電磁波の遮断性能や放熱性等を考慮して形成された電子機器収納用ケースに収納され、ユニット化された上で、装置に実装される場合が多い。この様なユニットの一例として、印刷用紙に印刷を行うインクジェットプリンタにおいて用いられる電源ユニットが挙げられる。
【０００３】
ここで、電子機器収納用ケースは、例えば金属板を曲げ起こすことによって側壁を形成した本体と、該本体と同様に金属板を曲げ起こすことによって側壁を形成し、該側壁によって前記本体の側壁上部を外側から覆う蓋体とから構成されていて、蓋体が本体に嵌められた状態で、ねじ等の固定手段によって前記蓋体を前記本体に対して固定する様になっている。
【０００４】
尚、この様な電子機器収納用ケースの従来技術を示す一例としては、特開２００１−３３９１８４号公報に開示された、電子機器の基板取付装置が挙げられる。
【０００５】
【発明が解決しようとする課題】
ところで、近年製品に対する低コスト化の要求は著しく、製品設計を見直すことにより、ねじ１個のレベルまで部品コストを削減することが望まれている。しかし、上述した様な従来の電子機器収納用ケースにおいては、ＡＣ電源用のインレットコネクタを前記本体に対してねじ固定していたことから、本体部にはねじ固定部を形成する必要があると共にねじを必要とし、更に、インレットコネクタの取り付け工程も必要となることから、上述した様な低コスト化の要請に反する構成となっていた。
【０００６】
そこで本発明はこの様な状況に鑑みなされたものであり、その課題は、電子機器を収納する電子機器収納用ケースに、インレットコネクタをより一層簡易且つ安価に取り付ける様にすることにある。
【０００７】
【課題を解決するための手段】
上記課題を解決するために、本発明の第１の実施の態様は、略箱形の形状をなす様に形成された本体と、前記本体の上部を覆う、略箱形の形状をなす蓋体と、を有する電子機器収納用ケースであって、前記本体に固設されるインレットコネクタが、両側に溝部を有し、前記本体の側壁に、上縁から底面に向かう本体側切り欠き部が形成され、前記溝部に前記本体側切り欠き部の両側端部分を挟入させながら前記インレットコネクタを底部に向かってスライドさせ、前記蓋体の側壁には、下縁から天面に向かう蓋側切り欠き部が形成され、前記蓋体を前記本体に対して嵌合させる際に、前記溝部に前記蓋側切り欠き部の両側端部分を挟入させながらスライドさせることにより、前記溝部に前記本体の側壁と前記蓋体の側壁とを挟入させ、前記本体の側壁と前記蓋体の側壁とを前記溝部に挟入させ且つ前記本体側切り欠き部と前記蓋側切り欠き部とによって前記インレットコネクタを上下方向から挟持することにより、前記インレットコネクタを固定する様に構成されたことを特徴とする。
【０００８】
上記第１の実施の態様によれば、インレットコネクタはねじ等の固定手段を別途用いることなく、本体と蓋体に挟持されることによって固定される。即ち、インレットコネクタの両側部には溝部が形成され、本体の側壁と蓋体の側壁とには、それぞれ切り欠き部が形成されている。インレットコネクタは、前記溝部に、本体の側壁と蓋体の側壁とが挟入し、且つ、前記切り欠き部によって上下方向から挟持されることによって固定されることから、ねじ等の固定手段を別途用いる必要がない。また、前記蓋体を前記本体に嵌合させる際に同時に固定されることから、インレットコネクタの固定作業を必要としない。以上により、電子機器収納用ケースに、より一層低コストにインレットコネクタを取り付ける様にすることが可能となる。
【０００９】
本発明の第２の実施の態様は、上記第１の実施の態様において、前記本体および前記蓋体が、１枚板を互いに交差する基線に沿って曲げ起こすことによって形成されていることを特徴とする。
上記第２の実施の態様によれば、前記本体および前記蓋体が、１枚板を互いに交差する基線に沿って曲げ起こすことによって形成されているので、金属板等を利用して電磁波遮断性、放熱性等の優れた電子機器収納用ケースを簡易な製造方法によって低コストに得ることができる。
【００１０】
本発明の第３の実施の態様は、上記第２の実施の態様において、前記本体側切り欠き部の両側端部分が折り曲げられることにより、板厚が２倍以上になされていることを特徴とする。
上記第３の実施の態様によれば、前記本体側切り欠き部の両側端部分が折り曲げられることにより、板厚が２倍以上になされているので、前記溝部の溝幅が大なる場合でも、より確実に、安定した状態でインレットコネクタを固定することができる。
【００１１】
本発明の第４の実施の態様は、被記録材に記録を行う記録装置であって、請求項１から３のいずれか１項に記載された電子機器収納用ケースを用いて形成された電子機器ユニットを備えていることを特徴とする。
上記第４の実施の態様によれば、被記録材に記録を行う記録装置は上述した第１から第３の実施の態様のいずれか１つに記載された電子機器収納用ケースを用いて形成された電子機器ユニットを備えているので、上述した第１から第３の実施の態様のいずれか１つと同様な作用効果を得ることができる。
【００１２】
【発明の実施の形態】
以下、図面を参照しながら本発明の実施の形態について説明する。
先ず、本発明に係る電子機器収納用ケースを用いた「電子機器ユニット」としての電源ユニット２０（図２参照）が設けられる、本発明に係る「記録装置」としてのインクジェットプリンタ（以下「プリンタ」と言う）１００の構成について図１を参照しつつ説明する。ここで、図１はプリンタ１００の装置本体（本体上部ハウジングを取り外した状態）の外観斜視図を示している。
【００１３】
図１において、プリンタ１００は平面視において略コの字形の形状をなすフレーム２によってその基体が構成されている。フレーム２は装置外観の一部を構成する、皿形の形状をなす下ハウジング３上に固定されている。フレーム２の後部（図１の左側）には給紙装置１を備え、該給紙装置１から装置前方（図１の右側）に向けて印刷用紙を給送する。
【００１４】
フレーム２には主走査方向に延びるキャリッジガイド軸５、６が軸支されていて、該キャリッジガイド軸５、６により、キャリッジ７が主走査方向にガイドされる。また、フレーム２にはキャリッジモータ９が取り付けられ、該キャリッジモータ９により、主走査方向に延びる様に掛架された無端ベルト８が駆動される。無端ベルト８の一部にはキャリッジ７が固定され、これにより、キャリッジ７が主走査方向に往復駆動される。
【００１５】
キャリッジ７はインクカートリッジ１０を備え、また、下部には、インクジェット記録ヘッド（図示せず）を備えている。そして、主走査方向に往復駆動されながら前記インクジェット記録ヘッドからインク滴が吐出されることにより、印刷用紙への印刷が実行される。印刷が実行された印刷用紙は、図示しない排紙ローラによってプリンタ１００の前方側に向けて排紙され、プリンタ１００の前方側に設けられた排紙スタッカ４によってスタックされる。
【００１６】
上述の様に構成されたプリンタ１００は、キャリッジモータ９等の駆動源の電力供給源として、図２に示す電源ユニット（電子機器収納用ケース）２０を、装置後方に有している。この電源ユニット２０は、図４に示す様に本体２１と蓋２２とからなる電子機器収納用ケースによってその筐体が構成されている。ここで、図２、３、５、８は電源ユニット（電子機器収納用ケース）２０の外観斜視図、図４、７は電源ユニット（電子機器収納用ケース）２０の分解斜視図である。また、図６は本体２１の部分拡大図、図９はインレットコネクタ４５取り付け部分の平面図、図１０は本体２１の外観斜視図、図１１は本体２１外部の部分拡大斜視図、図１２は本体内部の部分拡大斜視図である。以下、これら図面を参照しながら、電源ユニット（電子機器収納用ケース）２０の構成について詳説する。
【００１７】
先ず、図４及び図７を参照しながら、本体２１と蓋２２について概説する。先ず、本体２１は金属板（例えば、アルミニウム）を互いに交差する基線に沿って略垂直に曲げ起こし、更に、必要に応じて次々に内側に垂直に折り曲げることにより、窓穴部分がほぼ存在しない、箱形の形状をなす様に形成されている。具体的には、上述した金属板の曲げにより、水平面に平行な底板２１ａ（図１１参照）と、これに垂直な壁面２１ｂ〜２１ｊが形成されている。
【００１８】
また、蓋２２についても同様に、金属板（例えば、アルミニウム）を互いに交差する基線に沿って略垂直に曲げ起こすことにより、箱形の形状をなす様に形成されている。具体的には、水平面に平行な天板２２ａと、これに対して垂直な壁面２２ｂ〜２２ｅが形成されている。この様に、本体２１と蓋２２とは、１枚板を互いに交差する基線に沿って曲げ起こすことにより略箱形の形状に形成されているので、金属板等を利用して電磁波遮断性、放熱性等の優れた本体２１及び蓋２２を、簡易な製造方法によって低コストに得ることができる様になっている。尚、図中、符号２９で示す孔は、放熱用の通気孔を示している。
【００１９】
次に、電源ユニット２０の下ハウジング３への取り付け構造について説明する。下ハウジング３には、図２に示す様にねじ孔が形成された、円筒形状をなすユニット固定部１２ａ、１２ｂが略垂直に立設されている。このユニット固定部１２ａ、１２ｂは、廃インクを貯留する廃インク貯留部１４を形成する壁面１１の後部に設けられている。従って図２に示す様に、略箱形の形状をなす電源ユニット２０は、壁面１１に沿わせる様にして上方から下ハウジング３の底面に載置し、そして、２つのねじ１３、１３をユニット固定部１２ａ、１２ｂに螺挿させることにより、固定される様になっている。
【００２０】
ここで、２つのねじ１３は、図４に示す様に蓋２２の側壁２２ｃに形成された舌片２３と、本体２１の側壁２１ｃに形成された舌片２４とにそれぞれ形成されたねじ挿通孔２３ａ、２４ａを挿通し、また、図７に示す様に蓋２２の側壁２２２ｅに形成された舌片２５と、本体２１の側壁２１ｈに形成された舌片２６とにそれぞれ形成されたねじ挿通孔２５ａ、２６ａを挿通して、ユニット固定部１２ｂ、１２ａに図３に示す様に螺挿される様になっている。
【００２１】
即ち、蓋２２は本体２１に対して嵌合し、これによって電源ユニット２０の筐体（電子機器収納用ケース）が形成されるが、電源ユニット２０単体において蓋２２が本体２１に対して固定される様な構成とはなっておらず、図２に示す様に舌片２３、２４及び２５、２６に形成されたねじ挿通孔にねじ１３、１３を挿通させ、「被取付部」としてのユニット固定部１２ａ、１２ｂに形成されたねじ孔にねじ１３、１３を螺挿させることにより、蓋２２を本体２１に対して固定させる様に構成されている。つまり、蓋２２を本体２１に対して固定する「蓋体固定手段」と、電源ユニット（電子機器収納用ケース）２０を下ハウジング３に取り付ける際の「ケース取り付け手段」とを兼ねる様に構成されているので、部品点数が削減され、以てより一層の低コスト化を図ることができる様になっている。
【００２２】
また、本実施形態においては、舌片２３，２４、２５、２６は、それぞれ本体２１、蓋２２を形成する金属板の曲げ起こしによって形成されていることから、これらの舌片を別途取り付けて設ける必要がなく、より一層の低コスト化が図られている。
【００２３】
ところで、上述の様に蓋２２を本体２１に対して固定する専用の固定手段を備えていないので、電源ユニット２０を図２に示す様に壁面１１に沿って下ハウジング３に載置する際には、本体２１が落下する為に蓋２２の部分を把持して作業することができない。この為、電源ユニット２０の取り付け作業時や、或いは、輸送時、その他の取り扱い時等の利便性が低下する。そこで、本体２１と蓋２２とを有する構成からなる電子機器収納用ケースは、蓋２２を本体２１に対してスナップ式に取り付けるスナップ止め手段を備えている。
【００２４】
このスナップ止め手段は、図４及び図７に示す様に、本体２１の側壁２１ｂ及びこれに対向する側壁２１ｄにそれぞれ設けられた掛止孔（長溝）２７と、蓋２２の側壁２２ｂ及びこれに対向する側壁２２ｄにそれぞれ設けられた掛止突起（折り曲げ部）２８とによって構成されている。即ち、掛止突起２８が掛止孔２７に嵌入することにより、図５に示す様に、蓋２２が本体２１に対してスナップ止めされる。従って、蓋２２を、本体２１に対して所謂仮止めの状態とすることができ、以て電源ユニット２０の下ハウジング３への取り付け作業時等の取り扱い性を向上させることができ、また、本体２１と蓋２２とを輸送する際にも、利便性が向上する。加えて、上記掛止突起２８は金属板の折り曲げによって形成されるので、極めて低コストに上記スナップ止め手段を構成することができる様になっている。
【００２５】
続いて、蓋２２を本体２１に嵌合させる際の作業性（組立性）を向上させる手段について説明する。本体２１と蓋２２とは、上述の様に互いに交差する基線に沿って金属板を曲げ起こすことによって側壁が形成され、略箱形の形状になされていることから、蓋体２２を本体２１に嵌合させる際には、本体２１の側壁（２１ｂ〜２１ｊ）の上縁部と、蓋体２１の側壁（２２ｂ〜２２ｅ）の下縁部とが干渉し、嵌合性が悪いものとなる虞がある。
【００２６】
特に、図４に示す様に側壁２１ｂの側においては、後述する基板固定部３４〜３７（図１０参照）を金属板の折り曲げによって形成する必要があることから、上方から切り込みが入れられることによって形状が複雑化し、例えば側壁２１ｂと、これの両側に位置する側壁２１ｅ、２１ｇの複数の板状体によって一側面が形成されることになる。即ち、本体２１の上縁において、２以上の平板部に分割された状態となっていることから、例えば側壁２１ｂ、２１ｅ、２１ｇが互い違いとなることにより、蓋２２を本体２１に嵌合させる際に引っ掛かりが生じ、蓋２２の本体２１への嵌合性がより低下し易い構成となっている。尚、「上方から切り込みが入れられる」とは、実際に本体２１及び蓋２２が形成された状態においてその様な形態を有していることを言い、本体２１及び蓋２２の作成過程において、１枚の金属板の状態で切り込みが入れられ、その後に曲げ起こされた場合と、１枚の金属板を曲げ起こし、その後に切り込みが入れられた場合等、全ての場合を意味する。
【００２７】
そして、本実施形態では、図４に示す様に側壁２１ｂの両側に押圧力作用部３０、３０が形成されている。押圧力作用部３０、３０は、図１１に示す様に側壁２１ｂの側端部分の一部が折り曲げられることによって形成され、側壁２１ｅ（及び側壁２１ｇ）の端部と係合することができる様になっている。従って、側壁２１ｂを本体内側に向けて外側から押圧すると、隣接する平板部としての側壁２１ｅ（及び側壁２１ｇ）もが、これにつられて内側に退避することになる。
【００２８】
つまり、側壁２１ｂを本体の外側から内側に向けて押圧する押圧力を付与した際に、側壁２１ｂに隣接する側壁２１ｅ、２１ｇに前記押圧力の一部を作用させる押圧力作用部３０、３０が設けられていることから、本体２１の側壁の上縁部が２以上の平板部に分割された状態となっていても、側壁２１ｂを押圧すれば、隣接する側壁２１ｅ、２１ｇも同時に内側に退避する。従ってこれによって本体２１の側壁の上縁部と蓋２２の側壁の下縁部との干渉を防いで、容易に蓋２２を本体２１に嵌合させることが可能となる。
【００２９】
加えて、押圧力作用部３０、３０は、側壁２１ｂを折り曲げることにより、側壁２１ｂの一部をなす様に形成されていることから、別途押圧力作用部３０、３０を側壁２１ｂに取り付け等する必要がなく低コスト化を図ることができる様になっている。
【００３０】
次に、本実施の形態においては、蓋２２を本体２１に嵌合させる際の作業性（組立性）を向上させる第２の手段を有している。以下この第２の手段について説明すると、図４に示す様に蓋２２の側壁２２ｂは、その中央部３３ａが、両側の端部３３ｂよりも下方に突出した様な、平面視において段差形状をなす様に形成されている。従って、図６（Ａ）、（Ｂ）に示す様に、蓋２２を本体２１に嵌合させる際に、先ず最初に下方に突出した中央部３３ａが本体２１の側壁２１ｂと係合し、側壁２１ｂが中央部３３ａの内側に最初に入り込む様になる。そしてその次に、側壁２１ｅ（及び２１ｇ）が端部３３ｂの内側に入り込み、これにより、最終的に蓋２２が本体２１と嵌合する。
【００３１】
即ち、上述した様に、側壁２１ｂが形成された側においては、側壁２１ｇと２１ｅ（及び２１ｇ）との間には、上方から切り込みが入れられるた状態となることによって、上縁部において２以上の平板部に分割された状態となっている為、側壁２１ｂと２１ｅ（及び２１ｇ）の上縁部が互い違いの状態となる場合があり、この様な場合には、蓋２２を本体２１に嵌合させる際に、蓋２２の側壁の下縁部と本体２１の側壁の上縁部と干渉し易く、嵌合作業が困難となる。
【００３２】
しかし、上述の様に蓋２２の側において側壁２２ｂの下縁部が段差形状をなす様に形成されているので、その段差形状によって中央部３３ａと側壁２１ｂとが係合し、そしてその次に端部３３ｂと側壁２１ｅとが係合するという様に、１つ１つ時間差を置いて係合する様になり、以て蓋２２を本体２１に嵌合させる際の作業性の低下を防止できる様になっている。
【００３３】
以上説明した２つの手段、即ち、本体２１の側において押圧力作用部３０によって側壁２１ｂを押圧すれば、隣接する側壁２１ｅ、２１ｇも同時に内側に退避する手段と、更に、蓋２２において側壁２２ｂの下縁部が段差形状をなす様に形成され、これによって蓋２２の側壁と本体２１の側壁とが１つ１つ時間差を置いて係合する様する手段との２つの手段により、以て蓋２２を本体２１に嵌合させる際の作業性の低下を、より確実に防止できる様になっている。
【００３４】
続いて、ＡＣ電源入力用のＡＣインレットコネクタ４５の取り付け手段について図７乃至図９を参照しながら説明する。本体２１において側壁２１ｄには、図７に示す様に上縁から底面に向かう切り欠き部４３が形成されていて、蓋２２における側壁２２ｄにも、同様に下縁から天面に向かう切り欠き部４４が形成されている。一方で、樹脂材料によって形成されたＡＣインレットコネクタ４５の両側部には、図９に示す様に溝部４５ａ、４５ａが形成されていて、該溝部４５ａ、４５ａに、切り欠き部４３の両端部分と、切り欠き部４４の両端部分とが挟入する様になっている。
【００３５】
つまり、ＡＣインレットコネクタ４５を取り付ける際には、先ず、ＡＣインレットコネクタ４５に形成された溝部４５ａに、本体２１に形成された切り欠き部４３の両端部分を挟入させながら下方にスライドさせることにより、ＡＣインレットコネクタ４５を本体２１に対して取り付ける（仮固定する）。次に、蓋２２を本体２１に対して嵌合させるが、このとき、蓋２２に形成された切り欠き部４４の両端部分（コネクタ挟持板３１）の端部を、ＡＣインレットコネクタ４５の溝部４５ａに挟入させながら下方にスライドさせる。そして、図９に示す様に、本体２１の切り欠き部４３の両端部分と蓋２２の切り欠き部４４の両端部分とを溝部４５ａに挟入させ、且つ、本体２１（切り欠き部４３）と蓋２２（切り欠き部４４）とによってＡＣインレットコネクタ４５を上下方向から挟持することにより、ＡＣインレットコネクタ４５を固定する（図８）。
【００３６】
従ってこの様なＡＣインレットコネクタ４５の取り付け手段により、ＡＣインレットコネクタ４５はねじ等の固定手段を別途用いることなく、本体２１と蓋体２２に挟持されることによって固定されるので、ねじ等の固定手段を別途用いる必要がなく、また、蓋２２を本体２１に嵌合させることによってＡＣインレットコネクタ４５が固定されることから、ＡＣインレットコネクタ４５の固定作業をそれ単体で必要とせず、極めて低コストにＡＣインレットコネクタ４５を固定することが可能となる。
【００３７】
また、本実施形態においては、図９に示す様に本体２１の側壁２１ｄに形成された切り欠き部４３において、ＡＣインレットコネクタ４５の溝部４５ａに挟入する部分が折り曲げられることにより、板厚が略２倍になされている（符号３２で示す折り曲げ部）。この様に板厚が略２倍になされたことにより、溝部４５ａの溝幅が大なる場合でも、より確実に、安定した状態でインレットコネクタを固定することができる。尚、必要に応じて更に２重３重に折り曲げることによって板厚を更に増大させることにより、溝部４５ａの溝幅に応じて最適な固定状態を形成することが可能となる。
【００３８】
続いて、電源ユニット２０内に収納される、各種電子部品を実装した配線基板４０（図１０参照）の取り付け手段について説明する。先ず、図１０に示す様に、配線基板４０は、本体２１内部の四隅に形成された基板固定部３４乃至３７に、ねじ固定されることによって取り付けられる様になっている。
【００３９】
より詳しくは、基板固定部３４乃至３７は、本体２１の側壁に上縁から切り込みを入れ、且つ、折り曲げることで折り曲げ片（切り起こし片）を形成し、該折り曲げ片を配線基板４０を固定する基板固定部としている。代表として、図１１及び図１２に、基板固定部３５の形成された隅部（外側及び内側）を拡大図示して、これを説明する。以下、この基板固定部３５を例として説明するが、他の基板固定部３４及び３６、３７も同様な構造を有している。
【００４０】
図１１に示す様に、側壁２１ｂの両側端部は本体２１の内側に折り曲げられ、図１２に示す様に、方形の形状をなす基板固定部３５が形成される。基板固定部３５にはねじ孔３８が形成され、図示しない固定用のねじが配線基板４０を挿通して螺挿されることにより、配線基板４０が固定される。基板固定部３５において側壁２１ｃの側は、図示する様に側壁２１ｃに沿うように下方に折り曲げられ、舌片３５ａが形成されている。この舌片３５ａの下端部は、本体２１の底面に接触可能となっていて、従ってこれにより、配線基板４０の取り付け或いは取り外し作業を行っても、基板固定部３５が底面に向かって変形することが無く、上方から付与される荷重に対抗することができる様になっている。
【００４１】
また、基板固定部３５には、ねじ締結或いはねじ弛緩の際にモーメント力が働き、これにより、基板固定部３５の基端部分、即ち図１１及び１２において符号４１ａで示す基端部分には繰り返し応力が付与されることになる。この繰り返し応力によって基端部分４１ａの変形が繰り返されると、やがて基端部分４１ａが破断することになる。
【００４２】
しかし、上述の様に本実施形態においては、基板固定部３５において側壁２１ｃと対抗する側には舌片３５ａが形成されていて、この舌片３５ａは、基板固定部３５にモーメント力（基板固定部３５が側壁２１ｃに近接する方向のモーメント力）を作用させた際に、側壁２１ｃに圧接可能となっている。従ってこれにより、基板固定部３５に、ねじ締結或いはねじ弛緩によって基板固定部３５が側壁２１ｃに近接する方向のモーメント力を付与した場合でも、舌片３５ａが側壁２１ｃに圧接することにより、基端部４１ａの変形が防止され、もって基端部４１ａに繰り返し応力が掛かることによる該基端部４１ａの破断を効果的に防止することができる。
【００４３】
次に、上述の様に、基板固定部３５が側壁２１ｃに近接する方向のモーメント力が作用した場合には、舌片３５ａが側壁２１ｃに圧接することにより、基端部４１ａの変形が防止されるが、他方でその逆方向のモーメント力が作用した場合には、図１１における舌片４１の端部４１ｂが、側壁２１ｃの端部４２に掛止することにより、基端部４１ａの変形が防止される。
【００４４】
即ち、図１１及び１２において基板固定部３５は、上述した様に本体２１の側壁の隅部側において上縁から切り込みを入れて、側壁２１ｂの隅部側の一部を内側に折り曲げることで形成されているが、側壁２１ｂの隅部側の一部（端部４１ｂ）は側壁２１ｃの端部に掛かる位置まで延設されている。
【００４５】
そして、基板固定部３５に、側壁２１ｃから離間する方向のモーメント力を作用させた際に、端部２１ｂが、側壁２１ｃの端部４２に掛止可能となっているので、ねじ締結或いはねじ弛緩によって基板固定部３５が側壁２１ｃから離間する方向のモーメント力を付与した場合でも、端部４１ｂが端部４２に掛止することにより、基端部４１ａの変形が防止され、もって基端部４１ａに繰り返し応力が掛かることによる該基端部４１ａの破断を効果的に防止することができる様になっている。即ち、ねじ締結及びねじ弛緩の双方向のモーメント力に対抗可能となる。
【００４６】
以上により、本体２１及び蓋２２を小型化し、基端部４１ａの寸法を小さくした場合でも、基板固定部３４乃至３７の強度低下を招くことが無く、小型化に対して好適な、本体２１及び蓋２２を有する電子機器収納用ケースを得ることが可能となる。
【図面の簡単な説明】
【図１】本発明に係るプリンタの外観斜視図である。
【図２】本発明に係る電子機器収納用ケースの外観斜視図である。
【図３】本発明に係る電子機器収納用ケースの外観斜視図である。
【図４】本発明に係る電子機器収納用ケースの分解斜視図である。
【図５】本発明に係る電子機器収納用ケースの外観斜視図である。
【図６】本発明に係る電子機器収納用ケースの部分拡大図である。
【図７】本発明に係る電子機器収納用ケースの分解斜視図である。
【図８】本発明に係る電子機器収納用ケースの外観斜視図である。
【図９】インレットコネクタ取り付け部分の平面図である。
【図１０】本体の外観斜視図である。
【図１１】本体外部の部分拡大斜視図である。
【図１２】本体内部の部分拡大斜視図である。
【符号の説明】
１　給紙装置、２　フレーム、３　下ハウジング、４　排紙スタッカ、５、６キャリッジガイド軸、７　キャリッジ、８　無端ベルト、９　キャリッジモータ、１０　インクカートリッジ、１１　壁面、１２ａ、１２ｂ　ユニット固定部、１３　ねじ、１４　廃インク貯留部、２０　電源ユニット（電子機器収納用ケース）、２１　本体、２１ａ　底板、２１ｂ〜２１ｊ　側壁、２２　蓋、２２ａ天板、２２ｂ〜２２ｅ　側壁、２３　舌片、２３ａ　ねじ挿通孔、２４　舌片、２４ａ　ねじ挿通孔、２５　舌片、２５ａ　ねじ挿通孔、２６　舌片、２６ａねじ挿通孔、２７　掛止孔、２８　掛止突起、２９　通気孔、３０　押圧力作用部、３１　コネクタ挟持板、３２　折り曲げ部、３３ａ　中央部、３３ｂ　端部、３４〜３７　基板固定部、３８　ねじ孔
４０　配線基板、４１ａ　基端部、４１ｂ　端部、４３、４４　切り欠き部、４５　インレットコネクタ、１００　インクジェットプリンタ
【図１】
2004095569.tif 000003
【図２】
2004095569.tif 000004
【図３】
2004095569.tif 000005
【図４】
2004095569.tif 000006
【図５】
2004095569.tif 000007
【図６】
2004095569.tif 000008
【図７】
2004095569.tif 000009
【図８】
2004095569.tif 000010
【図９】
2004095569.tif 000011
【図１０】
2004095569.tif 000012
【図１１】
2004095569.tif 000013
【図１２】
2004095569.tif 000014